(57)【要約】【課題】操作性を損なうことなく、バイブレータ作動時の不快な雑音の発生を抑制する。【解決手段】雑音発生防止構造１９は、キーボタン５ａ、５ａ、…を載置したシート部材２５が、フロントケース２３と基板３１との間に挟まれ、曲げ荷重を受けることによって撓むんだスカート部３４の可撓部３４ａの復元力によって各キーボタン５ａが押し上げられて、各キーボタン５ａのフランジ部５ｓの上面がフロントケース２３の開口２３ａの縁部の接触面に接触してなっている。これにより、バイブレータ作動時に、キーボタン５ａがフロントケース２３に断続的に当たって、不快な雑音（びりつき音）が発生することを防止することができる。【選択図】　図２
2004127827.tif 000002
【特許請求の範囲】
【請求項１】
振動発生手段を備える電子機器に取り付けられて操作部の一部として機能するキーシートであって、
当該キーシートは、押下することでスイッチをオンとする複数のキーボタンと、これら複数のキーボタンを載置すると共に、各キーボタンが押下されると、下方に撓む一方、各キーボタンの押下を解くと、元に戻る弾性体からなるキーボタン載置シートとからなり、前記各キーボタンの下面周縁部にはフランジ部が突設され、
前記キーボタン載置シートは、前記キーボタンが載置されたボタン載置部と、前記ボタン載置部の周縁に沿って連続的に又は断続的に形成された変形自在の凹部と前記凹部の裏面から垂下された脚部とからなるスカート部とを有することを特徴とするキーシート。
【請求項２】
当該キーシートは、前記キーボタンが前記電子機器の筐体に穿設されたキーボタン装着用の開口から先端部が露出するように、かつ、少なくとも非押下時に前記フランジ部の表面が前記筐体の前記開口の縁部裏面に接触するように、前記キーボタンが押下されることによって開閉が行われるスイッチが設けられた基板と前記筐体との間に挟まれた状態で、前記電子機器に実装され、前記脚部は、底面が前記基板に押し当てられ、前記基板と前記ボタン載置部との間の離隔を保つためのスペーサ機能を有していることを特徴とする請求項１記載のキーシート。
【請求項３】
当該キーシートが前記電子機器に実装された際に、前記凹部の復元力によって、前記フランジ部の表面が前記筐体の裏面に押し付けられて、前記キーボタンと前記筐体との断続的な接触による雑音の発生が防止されることを特徴とする請求項１又は２記載のキーシート。
【請求項４】
振動発生手段を備える電子機器に設けられ、キーボタン載置シートの上に載置され押下することでスイッチをオンとする複数のキーボタンと、前記電子機器の筐体とを、少なくとも非押下時に常時接触状態として、前記キーボタンと前記筐体との断続的な接触による雑音の発生を防止するための電子機器の雑音発生防止構造であって、
前記各キーボタンの下面周縁部にはフランジ部が突設され、
前記キーボタン載置シートは、各キーボタンが押下されると、下方に撓む一方、各キーボタンの押下を解くと、元に戻る弾性体からなり、前記キーボタンが載置されたボタン載置部と、前記ボタン載置部の周縁に沿って連続的に又は断続的に形成された変形自在の凹部と前記凹部の裏面から垂下された脚部とからなるスカート部とを有し、前記凹部が潰された状態で前記電子機器に実装され、前記凹部の復元力によって、前記フランジ部の表面が前記筐体の裏面に押し当てられるように構成されていることを特徴とする電子機器の雑音発生防止構造。
【請求項５】
前記キーボタンは、前記電子機器の筐体に穿設されたキーボタン装着用の開口から先端部が露出するように、かつ、少なくとも非押下時に前記フランジ部の表面が前記筐体の前記開口の縁部裏面に常時接触するように、前記キーボタン載置シートに載置され、
前記キーボタン載置シートは、前記キーボタンが押下されることによって開閉が行われるスイッチが設けられた基板と前記筐体との間に挟まれた状態で、前記電子機器に実装され、
前記脚部は、底面が前記基板に押し当てられ、前記基板と前記ボタン載置部との間の離隔を保つためのスペーサ機能を有していることを特徴とする請求項４記載の電子機器の雑音発生防止構造。
【請求項６】
前記キーボタン載置シートは、前記凹部が復元可能な範囲で潰された状態で、前記電子機器に実装されていることを特徴とする請求項４又は５記載の電子機器の雑音発生防止構造。
【請求項７】
前記復元力の強さは、前記キーボタンを押し上げて前記フランジ部の表面を前記筐体の裏面に接触させるために必要十分な強さであることを特徴とする請求項４、５又は６記載の電子機器の雑音発生防止構造。
【請求項８】
前記凹部は、無荷重状態では、前記キーボタン載置シートの前記ボタン載置部の表面に対して所定の傾斜角度で傾斜した傾斜部と、その表面が前記ボタン載置部の表面に略平行な平坦部とからなるように成形されていることを特徴とする請求項４乃至７のいずれか１に記載の電子機器の雑音発生防止構造。
【請求項９】
無荷重状態での前記凹部の表面の前記ボタン載置部との境界部位と、裏面側に前記脚部が形成された支持部位との間の第１の垂直距離は、所定の荷重を受けた状態で固定されたときの前記境界部位と前記支持部位との間の第２の垂直距離よりも大きい所定の距離とされ、少なくとも前記第１の垂直距離と前記第２の垂直距離との差は、要求される前記復元力の強さに基づいて設定されることを特徴とする請求項４乃至８のいずれか１に記載の電子機器の雑音発生防止構造。
【請求項１０】
前記キーボタン載置シートは、前記筐体と、前記キーボタンが押下されることによって開閉が行われるスイッチが設けられた基板との間に挟み付けられるように配置され、前記キーボタン載置シートが前記筐体と前記基板との間に挟み付けられることによって、前記キーボタン載置シートは、前記キーボタンを介して荷重を受けた状態で固定されていることを特徴とする請求項４乃至９のいずれか１に記載の電子機器の雑音発生防止構造。
【請求項１１】
前記凹部の復元力によって、前記フランジ部の表面が前記筐体の裏面に押し付けられて、前記キーボタンと前記筐体との断続的な接触による雑音の発生が防止されることを特徴とする請求項４乃至１０のいずれか１に記載の電子機器の雑音発生防止構造。
【請求項１２】
請求項４乃至１１のいずれか１に記載の電子機器の雑音発生防止構造を備えた電子機器であって、
前記振動発生手段が発生させた振動によって所定の通知がなされることを特徴とする雑音発生防止構造を備えた電子機器。
【発明の詳細な説明】
【０００１】
【発明の属する技術分野】
この発明は、例えば、バイブレータが設けられた携帯電話機等の電子機器の操作部において用いられるキーシート、バイブレータ作動時のびりつき音を防止するための電子機器の雑音発生防止構造及び該構造を備えた電子機器に関する。
【０００２】
【従来の技術】
従来より、携帯型の電子機器としての携帯電話機等においては、着信時には、例えば、リンガー発生器からの着信音（呼出し音）の出力や、着信通知ランプの点滅、バイブレータの振動等によって着信したことをユーザに知らせるようにされている。
特にバイブレータは、例えば電車内でスピーカから音声を出力させないようにするマナーモードが設定された際に、代わりに振動によって着信を通知するために用いられる。
このような携帯電話機１０１は、図９及び図１０に示すように、当該携帯電話機本体の構成各部を制御する制御部１０２と、制御部１０２が実行する処理プログラムや各種データ等を記憶するための記憶部１０３と、多数のキーボタン１０４ａ、１０４ａ、…等を有する操作部１０４と、無線電波の送受信を行うアンテナ１０５と、アンテナ１０５を介して無線電波を送受信し通話やデータ通信を行うために用いられる無線通信部１０６と、液晶表示装置からなる表示部１０７と、着信を通知するためのＬＥＤからなる着信通知ランプ１０８と、着信通知ランプ１０８を構成する各ＬＥＤを駆動するためのＬＥＤ駆動部１０９と、着信音を出力するリンガー発生器１１０と、リンガー発生器１１０を駆動するためのリンガー駆動部１１１と、振動によって着信を通知するためのバイブレータ１１２と、バイブレータ１１２を駆動するためのバイブレータ駆動部１１３と、受話音声を出力するスピーカ１１４と、送話音声を入力するマイクロフォン１１５とが筐体１１６に実装されて概略構成されている。
【０００３】
操作部１０４は、図９及び図１１に示すように、例えば数字等を入力するためのテンキー等の合成樹脂製の多数のキーボタン１０４ａ、１０４ａ、…が、例えば合成ゴム製のシート部材１１７上の所定の位置に接着されてなるキーシート１１８が、ドーム状に突起した金属板接点１１９を有するスイッチ１２０等の部品が搭載された基板１２１上に配置されて構成されている。
各キーボタン１０４ａは、その周縁部に、非押下状態で、筐体１１６の開口部１１６ａの縁部の裏面１１６ｃに、その上面が接触される鍔状に突起したフランジ部１０４ｓを有している。
【０００４】
筐体１１６は、キーボタン１０４ａ、１０４ａ、…の先端部を露出させるための開口部１１６ａ、１１６ａ、…を有し、裏面のシート部材１１７の周縁部に形成されたシール部１１７ｃに対向する領域は、先端部１１７ｐを押圧して密封状態を保持するためのシール領域１１６ｂとされている。
また、開口部１１６ａ、１１６ａ、…の縁部には、非押下状態でキーボタン１０４ａのフランジ部１０４ｓと接触する接触面１１６ｃが形成されている。
シート部材１１７は、各キーボタン１０４ａを載置するボタン載置部１１７ａと、各ボタン載置部１１７ａに背向する裏面の中央部に形成され金属板接点１１９を押下するためのスイッチ作動用突起部１１７ｂと、シート部材１１７の周縁部に形成されたシール部１１７ｃとを有している。
シール部１１７ｃの突起部１１７ｐは、筐体１１６の裏面のシール領域１１６ｂに密着され、突起部１１７ｐがシール領域１１６ｂに押し当てられ押し潰されることによって、各キーボタン１０４ａと筐体１１６との間の隙間等からの水等の浸入を遮断する密閉性が確保されている。また、シール部１１７ｃの底面１１７ｑは、基板１２１の表面に当接されている。
【０００５】
スイッチ１２０は、直上の対応するキーボタン１０４ａが押下されることによって、金属板接点１１９にスイッチ作動用突起部１１７ｂが押し付けられ、金属板接点１１９が平坦化されて、例えばオン状態とされる。キーボタン１０４ａの押圧力が除かれると、シート部材１１７及び金属板接点１１９の復元力によって、スイッチ作動用突起部１１７ｂは元の位置に戻され、金属板接点１１９も元のドーム形状に戻り、例えばオフ状態とされる。
また、非押下状態では、各キーボタン１０４ａのフランジ部１０４ｓの上面と、筐体１１６の開口部１１６ａの縁部の接触面１１６ｃとは接触している。
【０００６】
しかしながら、従来の携帯電話機の操作部では、キーボタン１０４ａと筐体１１６とが接触した構造となっており、部品の寸法（例えばキーボタン１０４ａの大きさや筐体１１６の開口１１６ａの大きさ等）のばらつきによって、非押下時であっても、キーボタン１０４ａと筐体１１６とが離反している箇所や、接触している箇所が生じ、このため、バイブレータ１１２が駆動した際に、キーボタン１０４ａと筐体１１６とが断続的にぶつかり合うことによって、耳障りで不快な雑音（びりつき音）が発生し、操作者本人はもとより、マナーモードに設定していても周囲の者に対して不快感を与えてしまうという問題があった。
【０００７】
このため、図１２に示すように、操作部２０１において、シート部材２０２のスイッチ作動用突起部２０２ｂの高さを比較的高く設定しておいて、組立て時にスイッチ作動用突起部２０２ｂが金属板接点２０３を押し当てるようにし、金属板接点２０３の復元力によって、キーボタン１０４ａを押し上げて、フランジ部１０４ｓの上面を筐体１１６の接触面１１６ｃに常時接触させる技術が提案されている。
図１２において、符号２０２ｄは、シート部材本体と基板１２１との間の離隔を保つために形成された突起部である。
【０００８】
また、図１３に示すように、操作部３０１においてシート部材３０２に突起状のスタビライザ部３０２ｃを設け、組立時にスタビライザ部３０２ｃが圧縮荷重を受けて変形するようにし、復元力によってキーボタン１０４ａのフランジ部１０４ｓ上面を筐体１１６裏面に常時押し付けて接触させる技術が提案されている。
図１３において、符号３０２ｄは、シート部材本体と基板１２１との間の離隔を保つために形成された突起部である。
また、図１２に示すスイッチ作動用突起部２０２ｂの高さを比較的高く設定する技術と、図１３に示すスタビライザ部３０２ｃを設ける技術とは、併用されることもある。
【０００９】
なお、先行技術調査を実施した限りでは、上述した従来技術の内容が具体的に記載された文献に関する情報を得られなかった。
【００１０】
【発明が解決しようとする課題】
しかしながら、上記従来の携帯電話機の操作部２０１では、キーボタン１０４ａ非押下時でも金属板接点２０３はスイッチ作動用突起部２０２ｂによって若干押されて変形しており、キーボタン１０４ａ押下時にクリック感が低減し、操作者は、操作によって確実にオン又はオフとされたか否か不安となるという問題があった。
また、金属板接点２０３はスイッチ作動用突起部２０２ｂによって既に押されているので、操作者が僅かな押圧力を加えただけで操作が行われてしまうことがあり、誤操作の危険があるという問題があった。
【００１１】
また、従来技術の操作部３０１では、スタビライザ部３０２ｃに圧縮荷重をかけて押し潰して変形させ、スタビライザ部３０２ｃが元に戻ろうとする復元力によって、キーボタン１０４ａを押し上げる方法をとっているために、スタビライザ部３０２ｃの体積変化によって、必要以上に大きな押圧力が発生し、操作者がキーボタン１０４ａを押下しようとすると、オン又はオフとするために比較的強く押す必要があり（すなわち操作者にとって重く感じるようになり）、円滑かつ快適に操作することができないという問題があった。
このように、従来技術では、キーボタン操作の際の操作性が悪化するという問題があった。
【００１２】
この発明は、上述の事情に鑑みてなされたもので、操作性を損なうことなく、バイブレータ作動時の不快な雑音の発生を防止することができるキーシート、電子機器の雑音発生防止構造及び当該構造を備えた電子機器を提供することを目的としている。
【００１３】
【課題を解決するための手段】
上記課題を解決するために、請求項１記載の発明は、振動発生手段を備える電子機器に取り付けられて操作部の一部として機能するキーシートに係り、当該キーシートは、押下することでスイッチをオンとする複数のキーボタンと、これら複数のキーボタンを載置すると共に、各キーボタンが押下されると、下方に撓む一方、各キーボタンの押下を解くと、元に戻る弾性体からなるキーボタン載置シートとからなり、上記各キーボタンの下面周縁部にはフランジ部が突設され、上記キーボタン載置シートは、上記キーボタンが載置されたボタン載置部と、上記ボタン載置部の周縁に沿って連続的に又は断続的に形成された変形自在の凹部と上記凹部の裏面から垂下された脚部とからなるスカート部とを有することを特徴としている。
なお、この発明において、キーボタンを載置するとは、キーボタンとキーボタン載置シートとが同一材料を用いて一体的に成形されている場合に、キーボタン載置シート上にキーボタンが配置されることも含むものとする。
【００１４】
請求項２記載の発明は、請求項１記載のキーシートに係り、当該キーシートは、上記キーボタンが上記電子機器の筐体に穿設されたキーボタン装着用の開口から先端部が露出するように、かつ、少なくとも非押下時に上記フランジ部の表面が上記筐体の上記開口の縁部裏面に接触するように、上記キーボタンが押下されることによって開閉が行われるスイッチが設けられた基板と上記筐体との間に挟まれた状態で、上記電子機器に実装され、上記脚部は、底面が上記基板に押し当てられ、上記基板と上記ボタン載置部との間の離隔を保つためのスペーサ機能を有していることを特徴としている。
【００１５】
請求項３記載の発明は、請求項１又は２記載のキーシートに係り、当該キーシートが上記電子機器に実装された際に、上記凹部の復元力によって、上記フランジ部の表面が上記筐体の裏面に押し付けられて、上記キーボタンと上記筐体との断続的な接触による雑音の発生が防止されることを特徴としている。
【００１６】
請求項４記載の発明は、振動発生手段を備える電子機器に設けられ、キーボタン載置シートの上に載置され押下することでスイッチをオンとする複数のキーボタンと、上記電子機器の筐体とを、少なくとも非押下時に常時接触状態として、上記キーボタンと上記筐体との断続的な接触による雑音の発生を防止するための電子機器の雑音発生防止構造に係り、上記各キーボタンの下面周縁部にはフランジ部が突設され、上記キーボタン載置シートは、各キーボタンが押下されると、下方に撓む一方、各キーボタンの押下を解くと、元に戻る弾性体からなり、上記キーボタンが載置されたボタン載置部と、上記ボタン載置部の周縁に沿って連続的に又は断続的に形成された変形自在の凹部と上記凹部の裏面から垂下された脚部とからなるスカート部とを有し、上記凹部が潰された状態で上記電子機器に実装され、上記凹部の復元力によって、上記フランジ部の表面が上記筐体の裏面に押し当てられるように構成されていることを特徴としている。
【００１７】
請求項５記載の発明は、請求項４記載の電子機器の雑音発生防止構造に係り、記キーボタンは、上記電子機器の筐体に穿設されたキーボタン装着用の開口から先端部が露出するように、かつ、少なくとも非押下時に上記フランジ部の表面が上記筐体の上記開口の縁部裏面に常時接触するように、上記キーボタン載置シートに載置され、上記キーボタン載置シートは、上記キーボタンが押下されることによって開閉が行われるスイッチが設けられた基板と上記筐体との間に挟まれた状態で、上記電子機器に実装され、上記脚部は、底面が上記基板に押し当てられ、上記基板と上記ボタン載置部との間の離隔を保つためのスペーサ機能を有していることを特徴としている。
【００１８】
請求項６記載の発明は、請求項４又は５記載の電子機器の雑音発生防止構造に係り、上記キーボタン載置シートは、上記凹部が復元可能な範囲で潰された状態で、上記電子機器に実装されていることを特徴としている。
【００１９】
請求項７記載の発明は、請求項４、５又は６記載の電子機器の雑音発生防止構造に係り、上記復元力の強さは、上記キーボタンを押し上げて上記フランジ部の表面を上記筐体の裏面に接触させるために必要十分な強さであることを特徴としている。
【００２０】
請求項８記載の発明は、請求項４乃至７のいずれか１に記載の電子機器の雑音発生防止構造に係り、上記凹部は、無荷重状態では、上記キーボタン載置シートの上記ボタン載置部の表面に対して所定の傾斜角度で傾斜した傾斜部と、その表面が上記ボタン載置部の表面に略平行な平坦部とからなるように成形されていることを特徴としている。
【００２１】
請求項９記載の発明は、請求項４乃至８のいずれか１に記載の電子機器の雑音発生防止構造に係り、無荷重状態での上記凹部の表面の上記ボタン載置部との境界部位と、裏面側に上記脚部が形成された支持部位との間の第１の垂直距離は、所定の荷重を受けた状態で固定されたときの上記境界部位と上記支持部位との間の第２の垂直距離よりも大きい所定の距離とされ、少なくとも上記第１の垂直距離と上記第２の垂直距離との差は、要求される上記復元力の強さに基づいて設定されることを特徴としている。
【００２２】
請求項１０記載の発明は、請求項４乃至９のいずれか１に記載の電子機器の雑音発生防止構造に係り、上記キーボタン載置シートは、上記筐体と、上記キーボタンが押下されることによって開閉が行われるスイッチが設けられた基板との間に挟み付けられるように配置され、上記キーボタン載置シートが上記筐体と上記基板との間に挟み付けられることによって、上記キーボタン載置シートは、上記キーボタンを介して荷重を受けた状態で固定されていることを特徴としている。
【００２３】
請求項１１記載の発明は、請求項４乃至１０のいずれか１に記載の電子機器の雑音発生防止構造に係り、上記凹部の復元力によって、上記フランジ部の表面が上記筐体の裏面に押し付けられて、上記キーボタンと上記筐体との断続的な接触による雑音の発生が防止されることを特徴としている。
【００２４】
請求項１２記載の発明は、請求項４乃至１１のいずれか１に記載の電子機器の雑音発生防止構造に係り、上記振動発生手段が発生させた振動によって所定の通知がなされることを特徴としている。
【００２５】
【発明の実施の形態】
以下、図面を参照して、この発明の実施の形態について説明する。説明は、実施例を用いて具体的に行う。
◇実施例
図１は、この発明の一実施例である雑音発生防止構造を備えた携帯電話機の構成を示す斜視図、図２は、図１のＡ−Ａ線に沿った断面図、図３は、同携帯電話機の構成を示すブロック図、図４は、図２のＢ部を拡大して示す拡大断面図、図５は、同キーシートの要部の構成を示す下面図、図６は、図５のＣ−Ｃ線に沿った断面図、図７は、同キーシートを組み込んだ同携帯電話機の組立方法を説明するための説明図、また、図８は、同携帯電話機の動作を説明するための説明図である。
【００２６】
この例の携帯電話機（電子機器）１は、図１乃至図３に示すように、折畳可能な筐体２を備えると共に、当該携帯電話機本体の構成各部を制御する制御部３と、制御部３が実行する処理プログラムや各種データ等を記憶するための記憶部４と、折畳時に内側となる側に配設され多数のキーボタン５ａ、５ａ、…等を有する操作部５と、無線電波の送受信を行うアンテナ６と、アンテナ６を介して無線電波を送受信し所定のプロトコルに従って通話やデータ通信を行うために用いられる無線通信部７と、液晶表示装置からなる表示部８と、振動によって着信を通知するためのバイブレータ（振動発生手段）９と、バイブレータ９を駆動するためのバイブレータ駆動部１１と、着信音を出力するリンガー発生器１２と、リンガー発生器１２を駆動するためのリンガー駆動部１３と、着信を通知するためのＬＥＤからなる着信通知ランプ１４と、着信通知ランプ１４を構成する各ＬＥＤを駆動するためのＬＥＤ駆動部１５と、受話音声を出力するスピーカ１６と、送話音声を入力するマイクロフォン１７と、バッテリパック等からなる電源部１８とを備え、かつ、バイブレータ９が作動した際に、各キーボタン５ａと筐体２との断続的な接触による雑音の発生を防止するための雑音発生防止構造１９を有している。
【００２７】
筐体２は、図１及び図２に示すように、ヒンジ部２０で相互に結合された上側筐体２１と下側筐体２２とからなり、ヒンジ部２０は、上側筐体２１と下側筐体２２とを回動自在に結合して当該携帯電話機１に折畳可能な構造を付与している。
下側筐体２２は、共に例えば合成樹脂成型品からなるフロントケース２３とリアカバー２４とから構成され、フロントケース２３には、各キーボタン５ａの先端部を露出させるための開口２３ａが形成されている。
【００２８】
制御部３は、ＣＰＵ（中央処理装置）等からなり、例えば、所定の電話番号に対する発呼処理等を行うための通信制御プログラムや、操作部５の各種キーボタンからの入力情報を処理する操作制御プログラム、表示部８を制御するための表示制御プログラム、マナーモードが設定された際の着信時にバイブレータ９を駆動させるためのバイブレータ制御プログラム等の記憶部４に記憶された各種処理プログラムを実行し、記憶部４に確保された各種レジスタやフラグを用いて、構成各部を制御し、通信制御処理や、操作制御処理、表示制御処理、バイブレータ制御処理等を行う。
記憶部４には、ＲＯＭ、ＲＡＭ等の半導体メモリからなり、制御部３が実行する通信制御処理プログラムや、操作制御プログラム、表示制御プログラム、バイブレータ制御プログラム等の各種処理プログラムや、各機能の設定情報や通信履歴情報、電話帳情報等の各種情報が記憶されていると共に、制御部３がプログラム実行時に用いる各種レジスタやフラグが確保されている。
【００２９】
操作部５は、図１、図２及び図４に示すように、下側筐体２２に実装され、例えば数字等を入力するためのテンキー等の合成樹脂製の多数のキーボタン５ａ、５ａ、…が、例えば合成ゴム等の弾性体からなるシート部材（キーボタン載置シート）２５上の所定の位置に接着されてなるキーシート２６が、ドーム状に突起しスイッチ２７を構成する金属板接点２８が絶縁性シート２９の裏面側に設けられてなるメタルドームシート３０を介して、各種電子部品が搭載された基板３１上に配置されて構成されている。
また、各キーボタン５ａは、扁平な柱状の本体部５ｔと、本体部５ｔの下部の周縁に設けられた鍔状に突起したフランジ部５ｓとを有し、フランジ部５ｓの上面（表面）は、非押下状態で、フロントケース２３の開口２３ａの縁部の裏面側に形成された接触面（裏面）２３ｂに接触している。
【００３０】
シート部材２５は、図２，図４及び図５に示すように、各キーボタン５ａをその上面に載置するボタン載置部３２と、各ボタン載置部３２の裏面の中央部に形成されスイッチ２７を押下するためのスイッチ作動用突起部３３と、ボタン載置部３２を取り囲むように形成され、キーボタン５ａのフランジ部５ｓの上面をフロントケース２３の裏面側の接触面２３ｂに対して押し付けて、バイブレータ９が作動した際の雑音（びりつき音）の発生を防止するためのスカート部３４と、当該シート部材２５の周縁部に、キーボタン５ａ、５ａ、…の配置領域を囲むように設けられ、当該携帯電話機１の背面側に凸となるように形成され、シート部材２５本体と基板３１との間の離隔を保つと共に防水機能を担う周縁シール部３５とを有している。
【００３１】
スカート部３４は、図４及び図５に示すように、ボタン載置部３２を取り囲むように、例えば互いに隣接するキーボタン５ａ、５ａ間のフロントケース２３直下に凹状に形成され、両側端部にキーボタン５ａを介して曲げ荷重を受けることによって撓む可撓部３４ａと、可撓部３４ａの裏面側中央部から垂下状態で延設され、その底面が絶縁性シート２９を介して基板３１に押し当てられ、可撓部３４ａに荷重がかかった際に可撓部３４ａを支えて可撓部３４ａを撓ませるための支持脚部３４ｂ、３４ｃとを有している。
ここで、支持脚部３４ｂ、３４ｃは、例えばテンキーを構成するキーボタン５ａの周囲においては、キーボタン５ａの配置領域を取り囲むように形成されている。
【００３２】
支持脚部３４ｂは、長尺な直方体形状を有し、キーボタン５ａの配置領域の周囲のキーボタン５ａの中心から見て四方に対称な位置関係をなして形成されている。また、支持脚部３４ｃは、扁平な略三角柱形状を有し、キーボタン５ａの配置領域の周囲のキーボタン５ａの中心から見て隅部に形成されている。
なお、これらの支持脚部３４ｂ、３４ｃは、シート部材２５本体と基板３１との間の離隔を保つための機能も有している。また、支持脚部３４ｂ、３４ｃは、基板３１上の電子部品の搭載箇所を避けるように形成されている。
【００３３】
シート部材２５は、図６に示すように、当該携帯電話機１の組立前、すなわち、可撓部３４ａの両側端部にキーボタン５ａを介して曲げ荷重がかっていない無荷重状態（すなわち、変形していない状態）では、可撓部３４ａが、ボタン載置部３２の上面に対して所定の傾斜角度θで傾斜した傾斜部３４ｓと、その上面がボタン載置部３２の上面に略平行な平坦部３４ｔとからなるように凹状に成形されている。
スイッチ２７は、直上の対応するキーボタン５ａが押下されることによって、金属板接点２８にスイッチ作動用突起部３３が押し付けられ、金属板接点２８が平坦化されて、例えばオン状態とされる。キーボタン５ａの押圧力が除かれると、シート部材２５及び金属板接点２８の復元力によって、スイッチ作動用突起部３３は元の位置に戻され、金属板接点２８も元のドーム形状に戻り、例えばオフ状態とされる。
【００３４】
この例の雑音発生防止構造１９は、図２及び図４に示すように、キーボタン５ａ、５ａ、…を載置したシート部材２５が、フロントケース２３と基板３１との間に挟まれ、曲げ荷重を受けることによって撓むんだスカート部３４の可撓部３４ａの復元力によって各キーボタン５ａが押し上げられて、各キーボタン５ａのフランジ部５ｓの上面がフロントケース２３の開口２３ａの縁部の接触面２３ｂに接触してなっている。
シート部材２５は、当該携帯電話機１の組立前、すなわち、可撓部３４ａの両側端部にキーボタン５ａを介して曲げ荷重がかっていない無荷重状態では、図６に示すように、支持脚部３４ｂの底面からボタン載置部３２の裏面までの距離（すなわち、基板３１上に絶縁性シート２９を介して配置された際の絶縁性シート２９からボタン載置部３２の裏面までの高さ）ｔ２は、組立完了時の距離ｔ１（図４参照）よりも大きく、フロントケース２３とキーボタン５ａのフランジ部５ｓとが干渉する所定の大きさとされ、組立完了時には、フロントケース２３からキーボタン５ａを介して曲げ荷重がかかるようにされている。
【００３５】
この距離ｔ２や、干渉量に対応する差分Δｔ（ｔ１−ｔ２）、支持脚部３４ｂの高さｔ３、傾斜角度θ、シート部材２５の厚さｔ４は、要求される押圧力（復元力）の強さや、当該携帯電話機１を構成する部品（例えばキーボタン５ａやフロントケース２３）の想定される寸法誤差等に基づいて、予め設定されている。
例えば、寸法誤差が比較的大きいと想定される場合は、差分Δｔを比較的長く設定しておいて、部品の寸法のばらつきによる影響を抑制する。なお、これによって、可撓部３４ａの押圧力が必要以上に増大することはない。
ここで、押圧力の強さは、全てのキーボタン５ａについて、キーボタン５ａを押し上げてフランジ部５ｓの上面がフロントケース２３の接触面２３ｂに単に接触するための必要十分な強さであれば足りる。上述した差分Δｔ等については、さらに、部品の寸法誤差が吸収されるように設定される。
【００３６】
このように、シート部材２５が、フロントケース２３と基板３１との間に挟み付けられ、所定の曲げ荷重によって、可撓部３４ａが撓むように変形した状態で固定されると、可撓部３４ａが元の状態に戻ろうとする復元力によって、キーボタン５ａが押し上げられ、キーボタン５ａのフランジ部５ｓの上面は、フロントケース２３の接触面２３ｂに押し付けられて密着し、隙間が生じることがない。したがって、キーボタン５ａがフロントケース２３に断続的に当たって発生する雑音（びりつき音）が防止される。
なお、シート部材２５が、フロントケース２３と基板３１との間に挟み付けられた状態で、支持脚部３４ｂは、殆ど変形（例えば圧縮変形）しない。
【００３７】
この例の携帯電話機１を組み立てるには、まず、図７（ａ）に示すように、フロントケース２３に、各開口２３ａから対応するキーボタン５ａが露出するように、シート部材２５の各ボタン載置部３２上にキーボタン５ａが配置されたキーシート２６を組み込む。
次に、絶縁性シート２９の裏面に金属板接点２８が設けられてなるメタルドームシート３０を介して、各種電子部品が搭載された基板３１を、キーシート２６の裏面側からフロントケース２３に組み込む。ここで、キーシート２６は、基板３１に対して、絶縁性シート２９を介して、支持脚部３４ｂ、３４ｃ及び周縁シール部３５を押し当てた状態で配置される。
このとき、図６に示すように、可撓部３４ａは、キーボタン５ａを介して変形するほどの曲げ荷重は殆どを受けていない。
【００３８】
次に、キーシート２６を基板３１とフロントケース２３との間に挟んだ状態で、フロントケース２３とリアカバー２４との嵌合により、又は雌ねじや雄ねじ等の固定具による締め付けによって、図７（ｂ）に示すように、基板３１は、フロントケース２３側に押し付けられる。
これによって、シート部材２５は、フロントケース２３と基板３１との間に挟み付けられ、所定の曲げ荷重によって、可撓部３４ａが撓むように変形した状態で固定される。
すなわち、可撓部３４ａは、支持脚部３４ｂによって中央部が固定された状態で、両側端部にキーボタン５ａを介して曲げ荷重を受けることによって、図７（ｂ）に示すように、両側部が撓むように変形する。
ここで、可撓部３４ａが元の状態に戻ろうとする復元力によって、このスカート部３４の形成位置に端部が位置するキーボタン５ａ、５ａのフランジ部５ｓ、５ｓが押し上げられ、さらに、各キーボタン５ａのフランジ部５ｓの上面は、フロントケース２３の接触面２３ｂに押し付けられて密着し、隙間が生じることがない。
【００３９】
また、可撓部３４ａは、比較的小さい外力を受けた場合であっても、曲げ荷重であるために、例えば圧縮荷重に比べて比較的容易に変形し、かつ、例えば圧縮荷重を受けた場合のように、体積の変化を殆ど伴わないために、元の状態に戻ろうとする復元力は、上述したように、雑音発生防止構造１９における差分Δｔ等の設定を適切に行うことによって、各キーボタン５ａをフロントケース２３に密着させて隙間を生じさせないために必要十分な大きさの押圧力として働く。
なお、シート部材２４が、フロントケース２３と基板３１との間にキーボタン５ａを介して挟み付けられた状態で、支持脚部３４ｂは、殆ど変形（例えば圧縮変形）しない。
【００４０】
こうして組み立てられた携帯電話機１において、例えばマナーモードに設定されている場合に、着信があると、制御部３は、バイブレータ駆動部１１を制御してバイブレータ９を作動させる。
ここで、バイブレータ９の振動がフロントケース２３等に伝達されても、各キーボタン５ａのフランジ部５ｓは、フロントケース２３に密着しており、キーボタン５ａがフロントケース２３に当たって雑音（びりつき音）が発生することは回避される。
また、上述したように、可撓部３４ａは、例えば圧縮荷重を受けた場合のように、体積の変化を殆ど伴わず、元の状態に戻ろうとする復元力は、各キーボタン５ａをフロントケース２３に密着させて隙間を生じさせないために必要十分な大きさの押圧力として働くようにされており、図８に示すように、操作時にキーボタン５ａを押下した場合に、大きな反発力を受けることはない。
また、スカート部３４は、キーボタン５ａの周縁部の直下に形成されているので、このことによっても、操作時にキーボタン５ａを押下した場合に、大きな反発力を受けることはない。
また、例えば、非操作時でもスイッチ作動用突起部３３によって金属板接点２８を押し当てる方式を採用しているわけではないので、操作性に悪影響がもたらされることはない。
【００４１】
この例の構成によれば、シート部材２５が、フロントケース２３と基板３１との間に挟み付けられ、所定の曲げ荷重によって、可撓部３４ａが撓むように変形した状態で固定されているので、可撓部３４ａが元の状態に戻ろうとする復元力によって、キーボタン５ａが押し上げられ、キーボタン５ａのフランジ部５ｓの上面は、フロントケース２３の接触面２３ｂに押し付けられて密着し、部品の寸法誤差にかかわらず、隙間が生じることがない。
したがって、バイブレータ９作動時に、キーボタン５ａがフロントケース２３に断続的に当たって、不快な雑音（びりつき音）が発生することを防止することができる。
【００４２】
また、可撓部３４ａは、例えば圧縮荷重を受けた場合のように、体積の変化を殆ど伴わないために、元の状態に戻ろうとする復元力が、各キーボタン５ａをフロントケース２３に密着させて隙間を生じさせないために必要十分な大きさの押圧力として働くように、雑音発生防止構造１９における差分Δｔ等の設定を適切に行うことによって、操作時にキーボタン５ａを押下した場合に、大きな反発力を受けることはない。
したがって、従来技術におけるように、圧縮による強い復元力が生じないので、比較的弱い押圧力でキーボタンを押下して円滑にかつ確実に操作を行うことができる。
しかも、想定される部品の寸法誤差に応じて、差分Δｔ等の設定を適切に行うことによって、例えば部品の加工精度等にかかわらず、確実に雑音の発生を防止することができる。
【００４３】
また、例えば、非操作時でもスイッチ作動用突起部３３によって金属板接点２８を押し当てる方式を採用しているわけではないので、クリック感は維持され、操作性に悪影響がもたらされることはない。したがって、操作者は、キーボタンの押下によって操作が確実に行われたか否か不安になることがない。また、操作者が僅かな押圧力を加えただけで操作が行われてしまうような誤操作の危険もない。
このように、バイブレータ９作動時に、不快な雑音が発生することがなく、しかも、操作者は、円滑かつ確実に操作を行うことができる。
【００４４】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、この発明の雑音発生防止構造を携帯電話機に適用する場合について述べたが、携帯電話機に限らず、バイブレータを備えた、例えば、簡易型携帯電話（ＰＨＳ）端末や、携帯情報端末（ＰＤＡ）、デジタルカメラ等の携帯型の電子機器に適用することができる。
また、上述した実施例では、支持脚部３４ｂ、３４ｃを、例えばテンキーを構成するキーボタン５ａの周囲においては、キーボタン５ａが配置された箇所の周りの数箇所に形成する場合について述べたが、これに限らず、各キーボタン５ａの配置領域の周り全周に亘って連続的に形成しても良い。
また、シート部材２５において、可撓部３４ａの厚さを一定とする場合について述べたが、スカート部３４の変形される可撓部３４ａを、他の箇所と比べて厚さを薄くするようにしても良い。
また、シート部材２５上にキーボタンを配置する場合について述べたが、例えば弾性部材を用いて一体的に成形されたキーシートを用いるようにしても良い。また、例えば支持脚部３４ｂの形状を直方体形状とし、平面視で直線状に形成した場合について述べたが、これに限らず、キーボタンの外形に対応させてキーボタンの外形のオフセット形状（例えばキーボタンの外形が円形状であれば、平面視で円弧状に形成する）としても良い。また、断面形状も矩形に限らず、例えば台形であっても良い。
【００４５】
【発明の効果】
以上説明したように、この発明の構成によれば、キーボタン載置シートが、凹部が潰された状態で電子機器に実装されることによって、凹部の復元力のために、キーボタンが押し上げられ、キーボタンのフランジ部の表面は筐体の裏面に常時接触するように構成されているので、部品の寸法誤差にかかわらず、隙間が生じることがない。
したがって、振動発生手段作動時に、キーボタンが筐体に断続的に当たって、不快な雑音（びりつき音）が発生することを防止することができる。
【００４６】
また、凹部は、例えば圧縮荷重を受けた場合のように、体積の変化を殆ど伴わないので、復元力が、各キーボタンを筐体に密着させて隙間を生じさせないために必要十分な大きさの押圧力として働くように、例えば、第１の垂直距離と第２の垂直距離との差の設定を適切に行うことによって、キーボタンを押下した場合に、大きな反発力を受けることはない。
したがって、従来技術におけるように、圧縮による強い復元力が生じないので、比較的弱い押圧力でキーボタンを押下して円滑にかつ確実に操作を行うことができる。
【００４７】
また、例えば、非押下時でもスイッチ作動用突起部によって金属板接点を押し当てる方式を採用しているわけではないので、クリック感は維持され、操作性に悪影響がもたらされることはない。したがって、操作者は、キーボタンの押下によって操作が確実に行われたか否か不安になることがない。また、操作者が僅かな押圧力を加えただけで操作が行われてしまうような誤操作の危険もない。
このように、振動発生手段作動時に、不快な雑音が発生することがなく、しかも、操作者は、円滑かつ確実に操作を行うことができる。
【図面の簡単な説明】
【図１】この発明の一実施例である雑音発生防止構造を備えた携帯電話機の構成を示す斜視図である。
【図２】図１のＡ−Ａ線に沿った断面図である。
【図３】同携帯電話機の構成を示すブロック図である。
【図４】図２のＢ部を拡大して示す拡大断面図である。
【図５】同キーシートの要部の構成を示す下面図である。
【図６】図５のＣ−Ｃ線に沿った断面図である。
【図７】同キーシートを組み込んだ同携帯電話機の組立方法を説明するための説明図である。
【図８】同携帯電話機の動作を説明するための説明図である。
【図９】従来技術を説明するための説明図である。
【図１０】従来技術を説明するための説明図である。
【図１１】従来技術を説明するための説明図であって、図９のＤ−Ｄ線に沿った断面図である。
【図１２】従来技術を説明するための説明図である。
【図１３】従来技術を説明するための説明図である。
【符号の説明】
１　　　携帯電話機（電子機器）
２　　　筐体
５　　　操作部
５ａ　　　キーボタン
５ｓ　　　フランジ部
９　　　バイブレータ（振動発生手段）
１９　　　雑音発生防止構造
２１　　　上側筐体
２２　　　下側筐体
２３　　　フロントケース
２３ａ　　　開口
２４　　　リアカバー
２５　　　シート部材（キーボタン載置シート）
２６　　　キーシート
３１　　　基板
３２　　　ボタン載置部
３４　　　スカート部
３４ａ　　　可撓部（凹部）
３４ｂ、３４ｃ　　　支持脚部（脚部）
３４ｓ　　　傾斜部
３４ｔ　　　平坦部
【図１】
2004127827.tif 000003
【図２】
2004127827.tif 000004
【図３】
2004127827.tif 000005
【図４】
2004127827.tif 000006
【図５】
2004127827.tif 000007
【図６】
2004127827.tif 000008
【図７】
2004127827.tif 000009
【図８】
2004127827.tif 000010
【図９】
2004127827.tif 000011
【図１０】
2004127827.tif 000012
【図１１】
2004127827.tif 000013
【図１２】
2004127827.tif 000014
【図１３】
2004127827.tif 000015